(57)【要約】【課題】色ずれを低減することが可能なプラスチック光学素子を提供する。【解決手段】このプラスチックレンズ（プラスチック光学素子）５０は、Ｘ方向（主走査方向）に沿って延びる板状のレンズ部５１および５２を備える。レンズ部５１および５２は、Ｙ方向（副走査方向）に積層された状態で互いに一体的に形成されており、レンズ部５１および５２の境界部分近傍の、レンズ部５１および５２の光学有効範囲Ｒ１およびＲ２に対応する領域には、境界部分近傍をＺ方向（光軸方向）に貫通する肉抜き穴５３が形成されている。【選択図】図３
2014167569.tif 000002
【特許請求の範囲】
【請求項１】
主走査方向に沿って延びる板状の第１レンズ部および第２レンズ部を備え、
前記第１レンズ部および前記第２レンズ部は、前記主走査方向と直交する副走査方向に積層された状態で互いに一体的に形成されており、
前記第１レンズ部および前記第２レンズ部の境界部分近傍の、前記第１レンズ部および前記第２レンズ部の光学有効範囲に対応する領域には、前記境界部分近傍を光軸方向に貫通する肉抜き部が形成されている、プラスチック光学素子。
【請求項２】
前記肉抜き部は、前記境界部分近傍の前記光学有効範囲に対応する領域の略全域にわたって設けられている、請求項１に記載のプラスチック光学素子。
【請求項３】
前記第１レンズ部および前記第２レンズ部は、共に、前記主走査方向の両端部近傍よりも中央部近傍の方が光軸方向の厚みが大きい扁平形状に形成されており、
前記肉抜き部は、前記主走査方向の両端部近傍から中央部近傍に向かうにしたがって前記副走査方向の幅が大きくなるように形成されている、請求項１または２に記載のプラスチック光学素子。
【請求項４】
前記肉抜き部は、前記光学有効範囲の前記主走査方向の長さ以上の長さを有して前記主走査方向に延びる１つの肉抜き穴からなる、請求項２または３に記載のプラスチック光学素子。
【請求項５】
前記肉抜き部は、前記光学有効範囲の前記主走査方向の長さ以上の長さにわたって前記主走査方向に間隔を隔てて配置された複数の貫通穴からなる、請求項２または３に記載のプラスチック光学素子。
【請求項６】
前記肉抜き部は、前記光軸方向の一方から他方に向かうにしたがって前記副走査方向の幅が大きくなるテーパ状の内周面を有する、請求項１〜５のいずれか１項に記載のプラスチック光学素子。
【請求項７】
光源と、
前記光源からの光を偏向して走査するための光偏向器と、
前記光源と前記光偏向器との間に設けられる入射光学系と、
前記光偏向器により走査された光を集光する結像光学系とを備え、
前記入射光学系および前記結像光学系は、プラスチック光学素子を含み、
前記プラスチック光学素子は、
主走査方向に沿って延びる板状の第１レンズ部および第２レンズ部を含み、
前記第１レンズ部および前記第２レンズ部は、前記主走査方向と直交する副走査方向に積層された状態で互いに一体的に形成されており、
前記第１レンズ部および前記第２レンズ部の境界部分近傍の、前記第１レンズ部および前記第２レンズ部の光学有効範囲に対応する領域には、前記境界部分近傍を光軸方向に貫通する肉抜き部が形成されている、光走査装置。
【請求項８】
光源と、前記光源からの光を偏向して走査するための光偏向器と、前記光源と前記光偏向器との間に設けられる入射光学系と、前記光偏向器により走査された光を集光する結像光学系とを含む光走査装置を備え、
前記入射光学系および前記結像光学系は、プラスチック光学素子を含み、
前記プラスチック光学素子は、
主走査方向に沿って延びる板状の第１レンズ部および第２レンズ部を有し、
前記第１レンズ部および前記第２レンズ部は、前記主走査方向と直交する副走査方向に積層された状態で互いに一体的に形成されており、
前記第１レンズ部および前記第２レンズ部の境界部分近傍の、前記第１レンズ部および前記第２レンズ部の光学有効範囲に対応する領域には、前記境界部分近傍を光軸方向に貫通する肉抜き部が形成されている、画像形成装置。
【発明の詳細な説明】
【技術分野】
【０００１】
本発明は、プラスチック光学素子、光走査装置および画像形成装置に関する。
【背景技術】
【０００２】
従来、複数のレンズ部を備えたプラスチック光学素子が知られている（たとえば、特開２００２−１６０２６８号公報：特許文献１参照）。
【０００３】
特許文献１には、４つのレンズ部を備えたタンデム走査光学系用レンズ（プラスチック光学素子）が開示されている。このタンデム走査光学系用レンズでは、４つのレンズ部は、それぞれの境界部分に隙間がないように積層された状態で互いに一体的に形成されている。このような境界部分に隙間がない４つのレンズ部を備えたタンデム走査光学系用レンズは、金型を用いた射出成形（熱成形）により形成される。
【発明の概要】
【発明が解決しようとする課題】
【０００４】
しかしながら、特許文献１に開示されたタンデム走査光学系用レンズでは、４つのレンズ部の境界部分に隙間がないため、レンズの成形後に発生する熱収縮が４つのレンズ部の境界部分に集中し、光学面の傾きが発生しやすいという不都合があると考えられる。このため、走査線の曲がりが大きくなりやすく、用紙に形成される画像に色ずれが発生しやすいという問題点があると考えられる。
【０００５】
この発明は、上記のような課題を解決するためになされたものであり、この発明の１つの目的は、色ずれを低減することが可能なプラスチック光学素子、光走査装置および画像形成装置を提供することである。
【課題を解決するための手段】
【０００６】
上記目的を達成するために、この発明の第１の局面によるプラスチック光学素子は、主走査方向に沿って延びる板状の第１レンズ部および第２レンズ部を備え、第１レンズ部および第２レンズ部は、主走査方向と直交する副走査方向に積層された状態で互いに一体的に形成されており、第１レンズ部および第２レンズ部の境界部分近傍の、第１レンズ部および第２レンズ部の光学有効範囲に対応する領域には、境界部分近傍を光軸方向に貫通する肉抜き部が形成されている。
【発明の効果】
【０００７】
本発明では、上記のように、第１レンズ部および第２レンズ部の境界部分近傍の、第１レンズ部および第２レンズ部の光学有効範囲に対応する領域に肉抜き部が形成されていることによって、金型を用いた熱成形によりプラスチック光学素子を形成する場合に、プラスチック光学素子に加えられた熱が、肉抜き部を介して金型に伝達される。これにより、プラスチック光学素子の肉抜き部が形成された部分（第１レンズ部および第２レンズ部の境界部分近傍の光学有効範囲に対応する領域）の冷却効率を高めることができるので、プラスチック光学素子の成形後（プラスチック光学素子を金型から取り出した後）に発生する熱収縮が、第１レンズ部および第２レンズ部の境界部分近傍の光学有効範囲に対応する領域に集中するのを抑制することができる。その結果、プラスチック光学素子の光学面が傾くのを抑制することができるので、走査線の曲がりを抑制することができ、色ずれを低減することができる。
【図面の簡単な説明】
【０００８】
【図１】図１は、第１実施形態による画像形成装置の構成を示した模式図である。
【図２】図２は、第１実施形態によるプラスチックレンズの構成を示した斜視図である。
【図３】図３は、第１実施形態によるプラスチックレンズを光出射面側から見た図である。
【図４】図４は、第１実施形態によるプラスチックレンズのＺ方向（光軸方向）に沿った断面図である。
【図５】図５は、第１実施形態の変形例（第１変形例）によるプラスチックレンズを光出射面側から見た図である。
【図６】図６は、第１実施形態の変形例（第２変形例）によるプラスチックレンズのＺ方向（光軸方向）に沿った断面図である。
【図７】図７は、第２実施形態によるプラスチックレンズを光出射面側から見た図である。
【図８】図８は、第２実施形態の変形例（第３変形例）によるプラスチックレンズを光出射面側から見た図である。
【図９】図９は、第２実施形態の変形例（第４変形例）によるプラスチックレンズを光出射面側から見た図である。
【図１０】図１０は、第２実施形態の変形例（第５変形例）によるプラスチックレンズを光出射面側から見た図である。
【発明を実施するための形態】
【０００９】
（第１実施形態）
以下、図１〜図４を参照して、本発明の第１実施形態による画像形成装置１００について説明する。なお、画像形成装置１００は、たとえばデジタル複写機、レーザプリンタ、レーザファクシミリなどに用いられる電子写真方式の画像形成装置である。
【００１０】
図１に示すように、画像形成装置１００は、用紙Ｓが収納された用紙トレイ１と、駆動ローラ２ａおよび従動ローラ２ｂを有する搬送ベルト２と、Ｙ（Ｙｅｌｌｏｗ）、Ｍ（Ｍａｇｅｎｔａ）、Ｃ（Ｃｙａｎ）およびＫ（Ｂｌａｃｋ）の４色にそれぞれ対応する４つの感光体ドラム３０ａ、３０ｂ、３０ｃおよび３０ｄを有する４つの作像ユニット３ａ、３ｂ、３ｃおよび３ｄと、４つの作像ユニット３ａ、３ｂ、３ｃおよび３ｄに光（レーザ光：図１の矢印付きの一点鎖線参照）を照射する光走査ユニット４とを備える。なお、光走査ユニット４は、本発明の「光走査装置」の一例である。
【００１１】
この図１に示した画像形成装置１００において、４つの作像ユニット３ａ、３ｂ、３ｃおよび３ｄは、搬送ベルト２の延びる方向に沿って一列に配置されている。すなわち、画像形成装置１００は、いわゆるタンデム型の画像形成装置である。なお、作像ユニット３ａ〜３ｄは、それぞれ、感光体ドラム３０ａ、３０ｂ、３０ｃおよび３０ｄの他、帯電器３１ａ、３１ｂ、３１ｃおよび３１ｄや、現像器３２ａ、３２ｂ、３２ｃおよび３２ｄや、感光体クリーナ３３ａ、３３ｂ、３３ｃおよび３３ｄや、転写器３４ａ、３４ｂ、３４ｃおよび３４ｄなどを含むように構成されている。
【００１２】
また、光走査ユニット４は、光源４１と、光源４１からの光を偏向して走査するための光偏向器４２と、光源４１と光偏向器４２との間に配置される入射光学系４３と、光偏向器４２により走査された光を集光する結像光学系４４とを含む。ここで、第１実施形態では、光走査ユニット４の入射光学系４３および結像光学系４４は、図２〜図４に示すようなプラスチックレンズ５０を含むように構成されている。なお、プラスチックレンズ５０は、本発明の「プラスチック光学素子」の一例である。このプラスチックレンズ５０は、金型を用いた熱成形により形成される。
【００１３】
図２〜図４に示すように、プラスチックレンズ５０は、Ｘ方向（主走査方向）に沿って延びる板状に形成された２つのレンズ部５１および５２がＹ方向（副走査方向）に積層された状態で互いに一体的に形成されることにより構成されている。具体的には、図２および図３に示すように、レンズ部５１および５２は、共に、Ｘ方向の両端部近傍よりも中央部近傍の方がＺ方向（光軸方向）の厚みが大きい扁平な板状に形成されており、レンズ部５１および５２のＸ方向の両端部同士がＹ方向に互いに連結されることにより、二層一体のプラスチックレンズ５０が構成されている。なお、レンズ部５１および５２は、本発明の「第１レンズ部」および「第２レンズ部」の一例である。
【００１４】
図３に示すように、レンズ部５１および５２は、それぞれ、光学有効範囲Ｒ１およびＲ２（光学レンズとして有効に機能する領域：図３において点線で取り囲まれた矩形状の領域参照）を有する。また、図４に示すように、レンズ部５１および５２は、それぞれ、凹状の光入射面５１ａおよび５２ａと、凸状の光出射面５１ｂおよび５２ｂとを有する。なお、図２〜図４には図示していないが、光入射面５１ａ、５２ａ、光出射面５１ｂおよび５２ｂ以外のレンズ部５１および５２の表面（外側面）には、ヒケ（プラスチックレンズ５０の成形後に発生する熱収縮に起因してプラスチックレンズ５０の表面に形成される窪み）などからなる非転写領域が存在していてもよい。
【００１５】
ここで、第１実施形態では、図２〜図４に示すように、レンズ部５１および５２の境界部分近傍（プラスチックレンズ５０のＹ方向の中央部近傍）の光学有効範囲Ｒ１およびＲ２に対応する領域には、レンズ部５１および５２の境界部分近傍を光出射面５１ｂおよび５２ｂ側から光入射面５１ａおよび５２ａ側までＺ方向に貫通する１つの肉抜き穴５３が形成されている。なお、肉抜き穴５３は、本発明の「肉抜き部」の一例である。
【００１６】
また、図３に示すように、肉抜き穴５３は、レンズ部５１および５２の境界部分近傍の光学有効範囲Ｒ１およびＲ２に対応する領域の全域にわたって設けられている。具体的には、肉抜き穴５３は、レンズ部５１および５２の境界部分近傍において、レンズ部５１および５２の光学有効範囲Ｒ１およびＲ２のそれぞれのＸ方向の長さＬ１よりも大きい長さＬ２を有してＸ方向に直線状に延びるように形成されている。
【００１７】
なお、肉抜き穴５３は、Ｘ方向のどの位置においてもＹ方向の幅（肉抜き幅）Ｗ１が均一な細長の矩形状に形成されている。ここで、肉抜き穴５３のＹ方向の幅Ｗ１は、レンズ部５１および５２の光学有効範囲Ｒ１およびＲ２のそれぞれのＹ方向の幅Ｗ２よりも小さい。また、図４に示すように、肉抜き穴５３は、光入射面５１ａおよび５２ａ側の端部から光出射面５１ｂおよび５２ｂ側の端部までＹ方向の幅Ｗ１が等しい平行な内周面を有する。
【００１８】
第１実施形態では、上記のように、レンズ部５１および５２の境界部分近傍の光学有効範囲Ｒ１およびＲ２（図３において点線で取り囲まれた矩形状の領域参照）に対応する領域に肉抜き穴５３が形成されていることによって、金型を用いた熱成形によりプラスチックレンズ５０を形成する場合に、プラスチックレンズ５０に加えられた熱が、肉抜き穴５３を介して金型に伝達される。これにより、プラスチックレンズ５０の肉抜き穴５３が形成された部分（レンズ部５１および５２の境界部分近傍の光学有効範囲Ｒ１およびＲ２に対応する領域）の冷却効率を高めることができるので、プラスチックレンズ５０の成形後（プラスチックレンズ５０を金型から取り出した後）に発生する熱収縮（図４の白抜き矢印は、熱収縮の方向を示している）が、レンズ部５１および５２の境界部分近傍の光学有効範囲Ｒ１およびＲ２に対応する領域に集中するのを抑制することができる。その結果、プラスチックレンズ５０の光学面が傾くのを抑制することができるので、走査線の曲がりを抑制することができ、色ずれを低減することができる。
【００１９】
また、第１実施形態では、上記のように、肉抜き穴５３が、レンズ部５１および５２の境界部分近傍の光学有効範囲Ｒ１およびＲ２に対応する領域の全域にわたって設けられているので、プラスチックレンズ５０の成形時におけるレンズ部５１および５２の境界部分近傍の冷却効率をより高めることができる。これにより、プラスチックレンズ５０の成形後に発生する熱収縮が、レンズ部５１および５２の境界部分近傍の光学有効範囲Ｒ１およびＲ２に対応する領域に集中するのをより抑制することができる。
【００２０】
また、第１実施形態では、上記のように、肉抜き穴５３が、光学有効範囲Ｒ１およびＲ２のＸ方向の長さＬ１以上の長さＬ２を有してＸ方向に延びるように形成されているので、肉抜き穴５３を、レンズ部５１および５２の境界部分近傍の光学有効範囲Ｒ１およびＲ２に対応する領域の全域にわたって確実に配置することができる。これにより、プラスチックレンズ５０の成形後に発生する熱収縮が、レンズ部５１および５２の境界部分近傍の光学有効範囲Ｒ１およびＲ２に対応する領域に集中するのを確実に抑制することができる。
【００２１】
（第１変形例）
なお、上記第１実施形態では、Ｘ方向のどの位置においても略均一なＹ方向の幅Ｗ１を有するように形成された１つの肉抜き穴５３を含むプラスチックレンズ５０を用いる例を示したが、本発明はこれに限らない。本発明では、図５に示す第１変形例のように、Ｘ方向の両端部近傍から中央部近傍に向かうにしたがってＹ方向の幅が大きくなるように形成された１つの肉抜き穴１５３を含むプラスチックレンズ１５０を用いてもよい。なお、肉抜き穴１５３は、本発明の「肉抜き部」の一例であるとともに、プラスチックレンズ１５０は、本発明の「プラスチック光学素子」の一例である。
【００２２】
図５に示すように、第１変形例では、上記第１実施形態と同様に、肉抜き穴１５３は、プラスチックレンズ１５０を構成する２つのレンズ部１５１および１５２の境界部分においてＸ方向に延びるように形成されている。なお、レンズ部１５１および１５２は、本発明の「第１レンズ部」および「第２レンズ部」の一例である。
【００２３】
ここで、第１変形例では、上記第１実施形態とは異なり、肉抜き穴１５３は、Ｘ方向の両端部近傍から中央部近傍に向かうにしたがってＹ方向の幅（肉抜き幅）が大きくなるように形成されている。すなわち、図５に示すように、Ｘ方向の中央部近傍における肉抜き穴１５３のＹ方向の幅Ｗ３は、Ｘ方向の端部近傍における肉抜き穴１５３のＹ方向の幅Ｗ４よりも大きい。なお、これらの幅Ｗ３およびＷ４は、共に、レンズ部１５１および１５２の光学有効範囲Ｒ１およびＲ２（図５において点線で取り囲まれた矩形状の領域参照）のそれぞれのＹ方向の幅Ｗ２よりも小さい。
【００２４】
第１変形例では、上記のように、レンズ部１５１および１５２が、共に、Ｘ方向の両端部近傍よりも中央部近傍の方がＺ方向の厚みが大きい扁平形状に形成されており、肉抜き穴１５３が、Ｘ方向の両端部近傍から中央部近傍に向かうにしたがってＹ方向の幅が大きくなるように形成されている。これにより、レンズ部１５１および１５２の熱が逃げにくい部分（Ｚ方向の厚みが大きいＸ方向の中央部近傍）の冷却効率をさらに高めることができるので、プラスチックレンズ１５０の成形後におけるレンズ部１５１および１５２のＸ方向の熱収縮量の偏差を低減することができる。
【００２５】
（第２変形例）
また、上記第１実施形態では、光入射面５１ａおよび５２ａ側の端部から光出射面５１ｂおよび５２ｂ側の端部までＹ方向の幅Ｗ１が等しい平行な内周面を有する肉抜き穴５３を含むプラスチックレンズ５０を用いる例を示したが、本発明はこれに限らない。本発明では、図６に示す第２変形例のように、光入射面２５１ａおよび２５２ａ側から光出射面２５１ｂおよび２５２ｂ側に向かうにしたがってＹ方向の幅が大きくなるテーパ状の内周面を有する肉抜き穴２５３を含むプラスチックレンズ２５０を用いてもよい。なお、肉抜き穴２５３は、本発明の「肉抜き部」の一例であるとともに、プラスチックレンズ２５０は、本発明の「プラスチック光学素子」の一例である。
【００２６】
図６に示すように、第２変形例では、上記第１実施形態と同様に、肉抜き穴２５３は、プラスチックレンズ２５０を構成する２つのレンズ部２５１および２５２の境界部分に形成されている。なお、レンズ部２５１および２５２は、本発明の「第１レンズ部」および「第２レンズ部」の一例である。
【００２７】
ここで、第２変形例では、上記第１実施形態とは異なり、肉抜き穴２５３は、光入射面２５１ａおよび２５２ａ側から光出射面２５１ｂおよび２５２ｂ側に向かうにしたがってＹ方向の幅が大きくなるテーパ状の内周面を有する。すなわち、図６に示すように、光出射面２５１ｂおよび２５２ｂ側の端部近傍における肉抜き穴２５３のＹ方向の幅Ｗ６は、光入射面２５１ａおよび２５２ａ側の端部近傍における肉抜き穴２５３のＹ方向の幅Ｗ５よりも大きい。
【００２８】
第２変形例では、上記のように、肉抜き穴２５３が、光入射面２５１ａおよび２５２ａ側から光出射面２５１ｂおよび２５２ｂ側に向かうにしたがってＹ方向の幅が大きいテーパ状の内周面を有するので、プラスチックレンズ２５０の成形後において、金型からプラスチックレンズ２５０をテーパ状の内周面に沿ってスムーズに抜き出すことができる。これにより、金型からプラスチックレンズ２５０を抜き出す際に金型とプラスチックレンズ２５０とが擦れることに起因してプラスチックレンズ２５０の形状精度が悪化するのを抑制することができる。
【００２９】
なお、上記第２変形例では、光入射面２５１ａおよび２５２ａ側から光出射面２５１ｂおよび２５２ｂ側に向かうにしたがってＹ方向（副走査方向）の幅が大きくなる肉抜き穴（肉抜き部）２５３を用いる例を示したが、本発明はこれに限らない。本発明では、上記第２変形例とは逆に、光出射面側から光入射面側に向かうにしたがって副走査方向の幅が大きくなる肉抜き部を用いてもよい。
【００３０】
（第２実施形態）
次に、図７を参照して、本発明の第２実施形態によるプラスチックレンズ３５０について説明する。この第２実施形態によるプラスチックレンズ３５０も、上記第１実施形態と同様に、Ｘ方向の両端部同士がＹ方向に連結された２つの板状のレンズ部３５１および３５２を含むように構成されている。なお、プラスチックレンズ３５０は、本発明の「プラスチック光学素子」の一例であるとともに、レンズ部３５１および３５２は、本発明の「第１レンズ部」および「第２レンズ部」の一例である。
【００３１】
ここで、図７に示すように、第２実施形態では、上記第１実施形態とは異なり、レンズ部３５１および３５２の境界部分（プラスチックレンズ３５０のＹ方向の中央部）に、複数（図７では、６つ）の貫通穴３５３が形成されている。これら複数の貫通穴３５３は、互いに略等しい大きさを有する矩形状に形成されている。なお、貫通穴３５３は、本発明の「肉抜き部」の一例である。
【００３２】
複数の貫通穴３５３は、レンズ部３５１および３５２の境界部分の、レンズ部３５１および３５２の光学有効範囲Ｒ１およびＲ２（図７において点線で取り囲まれた矩形状の領域参照）に対応する領域の全域にわたって、Ｘ方向に間隔を隔てて配置されている。具体的には、複数の貫通穴３５３は、レンズ部３５１および３５２の光学有効範囲Ｒ１およびＲ２のそれぞれのＸ方向の長さＬ１以上の長さＬ３にわたって、Ｘ方向に略等間隔で配置されている。なお、複数の貫通穴３５３のそれぞれのＹ方向の幅Ｗ７は、レンズ部３５１および３５２の光学有効範囲Ｒ１およびＲ２のＹ方向の幅Ｗ２よりも小さい。
【００３３】
なお、第２実施形態のその他の構成は、上記第１実施形態と同様である。
【００３４】
この第２実施形態においても、上記第１実施形態と同様に、レンズ部３５１および３５２の境界部分近傍の光学有効範囲Ｒ１およびＲ２に対応する領域に複数の貫通穴３５３が形成されていることによって、金型を用いた熱成形によりプラスチックレンズ３５０を形成する場合において、プラスチックレンズ３５０の複数の貫通穴３５３が形成された部分（レンズ部３５１および３５２の境界部分近傍の光学有効範囲Ｒ１およびＲ２に対応する領域）の冷却効率を高めることができる。これにより、プラスチックレンズ３５０の光学面が傾くのを抑制することができるので、走査線の曲がりを抑制することができ、色ずれを低減することができる。
【００３５】
また、第２実施形態では、上記のように、複数の貫通穴３５３が、光学有効範囲Ｒ１およびＲ２のＸ方向の長さＬ１以上の長さＬ３にわたって主走査方向に間隔を隔てて配置されているので、複数の貫通穴３５３を、レンズ部３５１および３５２の境界部分近傍の光学有効範囲Ｒ１およびＲ２に対応する領域の全域にわたって確実に配置することができる。これにより、プラスチックレンズ３５０の成形後に発生する熱収縮が、レンズ部３５１および３５２の境界部分近傍の光学有効範囲Ｒ１およびＲ２に対応する領域に集中するのを確実に抑制することができる。
【００３６】
なお、第２実施形態のその他の効果は、上記第１実施形態と同様である。
【００３７】
（第３変形例）
なお、上記第２実施形態では、複数の貫通穴３５３が互いに略等しい大きさを有するプラスチックレンズ３５０を用いる例を示したが、本発明はこれに限らない。本発明では、図８に示す第３変形例のように、複数の貫通穴４５３のＹ方向の幅がＸ方向の両端部近傍から中央部近傍に向かうにしたがって大きくなるプラスチックレンズ４５０を用いてもよい。なお、貫通穴４５３は、本発明の「肉抜き部」の一例であるとともに、プラスチックレンズ４５０は、本発明の「プラスチック光学素子」の一例である。
【００３８】
図８に示すように、第３変形例では、上記第２実施形態と同様に、複数の貫通穴４５３は、プラスチックレンズ４５０を構成する２つのレンズ部４５１および４５２の境界部分においてＸ方向に間隔を隔てて配置されている。なお、レンズ部４５１および４５２は、本発明の「第１レンズ部」および「第２レンズ部」の一例である。
【００３９】
ここで、第３変形例では、上記第２実施形態とは異なり、複数の貫通穴４５３は、Ｘ方向の両端部近傍から中央部近傍に向かうにしたがってＹ方向の幅が大きくなるように形成されている。すなわち、Ｘ方向の中央部近傍（図８では、左端から３番目）に配置された貫通穴４５３のＹ方向の幅Ｗ８は、Ｘ方向の端部（図８では、左端）に配置された貫通穴４５３のＹ方向の幅Ｗ９よりも大きい。なお、これらの幅Ｗ８およびＷ９は、共に、レンズ部４５１および４５２の光学有効範囲Ｒ１およびＲ２（図８の点線で取り囲まれた矩形状の領域参照）のＹ方向の幅Ｗ２よりも小さい。
【００４０】
第３変形例では、上記のように、複数の貫通穴４５３が、Ｘ方向の両端部近傍から中央部近傍に向かうにしたがってＹ方向の幅が大きくなるように形成されているので、レンズ部４５１および４５２の熱が逃げにくい部分（Ｘ方向の中央部近傍）の冷却効率をさらに高めることができ、プラスチックレンズ４５０の成形後におけるレンズ部４５１および４５２のＸ方向の熱収縮量の偏差を低減することができる。
【００４１】
（第４変形例）
また、上記第２実施形態では、複数の貫通穴３５３がそれぞれ矩形状に形成されたプラスチックレンズ３５０を用いる例を示したが、本発明はこれに限らない。本発明では、図９に示す第４変形例のように、複数の貫通穴５５３がそれぞれ円形状に形成されたプラスチックレンズ５５０を用いてもよい。なお、貫通穴５５３は、本発明の「肉抜き部」の一例であるとともに、プラスチックレンズ５５０は、本発明の「プラスチック光学素子」の一例である。また、レンズ部５５１および５５２は、本発明の「第１レンズ部」および「第２レンズ部」の一例である。
【００４２】
図９に示すように、第４変形例では、上記第２実施形態と同様に、複数の貫通穴５５３は、プラスチックレンズ５５０を構成するレンズ部５５１および５５２の境界部分においてＸ方向に間隔を隔てて配置されている。なお、レンズ部５５１および５５２は、本発明の「第１レンズ部」および「第２レンズ部」の一例である。
【００４３】
ここで、第４変形例では、上記第２実施形態とは異なり、複数の貫通穴５５３は、互いに略等しい直径Ｄ１を有する円形状に形成されている。なお、この直径Ｄ１は、レンズ部５５１および５５２のそれぞれの光学有効範囲Ｒ１およびＲ２（図９において点線で取り囲まれた矩形状の領域参照）のＹ方向の幅Ｗ２よりも小さい。
【００４４】
なお、第４変形例の効果は、上記第２実施形態と同様である。
【００４５】
（第５変形例）
また、上記第４変形例では、複数の貫通穴５５３の大きさ（直径Ｄ１）が互いに略等しいプラスチックレンズ５５０を用いる例を示したが、本発明はこれに限らない。本発明では、図１０に示す第５変形例のように、複数の貫通穴６５３の大きさがＸ方向の両端部近傍から中央部近傍に向かうにしたがって大きくなるプラスチックレンズ６５０を用いてもよい。なお、貫通穴６５３は、本発明の「肉抜き部」の一例であるとともに、プラスチックレンズ６５０は、本発明の「プラスチック光学素子」の一例である。
【００４６】
図１０に示すように、第５変形例では、上記第４変形例と同様に、複数の貫通穴６５３は、プラスチックレンズ６５０を構成するレンズ部６５１および６５２の境界部分においてＸ方向に間隔を隔てて配置されている。なお、レンズ部６５１および６５２は、本発明の「第１レンズ部」および「第２レンズ部」の一例である。
【００４７】
ここで、第５変形例では、上記第４変形例とは異なり、複数の貫通穴６５３は、Ｘ方向の両端部近傍から中央部近傍に向かうにしたがって大きさ（直径）が大きくなるように形成されている。すなわち、Ｘ方向の中央部近傍（図１０では、左端から８番目）に配置された貫通穴６５３の直径Ｄ２は、Ｘ方向の端部（図１０では、左端）に配置された貫通穴６５３の直径Ｄ３よりも大きい。なお、これらの直径Ｄ２およびＤ３は、共に、レンズ部６５１および６５２のそれぞれの光学有効範囲Ｒ１およびＲ２（図１０において点線で取り囲まれた矩形状の領域参照）のＹ方向の幅Ｗ２よりも小さい。
【００４８】
なお、第５変形例の効果は、上記第３変形例と同様である。
【００４９】
なお、今回開示された実施形態および変形例は、すべての点で例示であって制限的なものではないと考えられるべきである。本発明の範囲は、上記した実施形態および変形例の説明ではなく特許請求の範囲によって示され、さらに特許請求の範囲と均等の意味および範囲内でのすべての変更が含まれる。
【符号の説明】
【００５０】
４  光走査ユニット（光走査装置）
４１  光源
４２  光偏向器
４３  入射光学系
４４  結像光学系
５０、１５０、２５０、３５０、４５０、５５０、６５０  プラスチックレンズ（プラスチック光学素子）
５１、５２、１５１、１５２、２５１、２５２、３５１、３５２、４５１、４５２、５５１、５５２、６５１、６５２  レンズ部（第１レンズ部、第２レンズ部）
５３、１５３、２５３  肉抜き穴（肉抜き部）
１００  画像形成装置
３５３、４５３、５５３、６５３  貫通穴（肉抜き部）
Ｒ１、Ｒ２  光学有効範囲
【先行技術文献】
【特許文献】
【００５１】
【特許文献１】特開２００２−１６０２６８号公報
【図１】
2014167569.tif 000003
【図２】
2014167569.tif 000004
【図３】
2014167569.tif 000005
【図４】
2014167569.tif 000006
【図５】
2014167569.tif 000007
【図６】
2014167569.tif 000008
【図７】
2014167569.tif 000009
【図８】
2014167569.tif 000010
【図９】
2014167569.tif 000011
【図１０】
2014167569.tif 000012